(57)【特許請求の範囲】
【請求項１】
画素のインクを盛り付けるドットが凹部、凸部、又は親インキ性を有する平滑部でありエッチング法又はレーザ破壊法により製作される印刷版であって、ライト部のドットに関する、画素を形成するためのインクを盛り付けるドットを、濃淡階調度に対応して漸次に大きくなる概略Ｖ字形状を構成するように、三角形の頂点と底辺がロール周面方向に位置する三角部と、該三角部の底辺の両端より斜辺の延長線上に延長している二本の短直線部とからなることを特徴とする印刷版。
【請求項２】
最シャドウ部が六角形のドットを敷き詰めた形状であり、最シャドウ部以外のドットが、最シャドウ部のドットを敷き詰めた時の各六角形の略中心に位置するように配列されていることを特徴とする〔請求項１〕に記載の印刷版。
【発明の詳細な説明】
【０００１】
【産業上の利用分野】
本願発明は、エッチング法又はレーザ破壊法により製作される印刷版（グラビア版、凸版、及び親インキ性を有する平滑部を有するフレキソ版やオフセット版）であって、ライト部のドットの形状を改善することによりインキの分散性が良好な印刷物が得られ、さらに、凹版にあっては、ライト部のドットの形状を改善することによりセルからの被印刷物へのインキの転移性が良好でありライト部が白く抜けて見えるインキが転移していないポイントを無くした印刷物が得られる印刷版に関する。
【０００２】
【従来の技術】
インキの分散性は、その濃淡階調度を出すための一個のドットの面積の大小と、インキの厚さと、ドットの面積一杯に均一にインクが転移していること、の相関関係によって決まる。
ドットの面積が小さくてもインキが厚く転移すると濃淡階調度が不自然になる。また、ドットの面積が大きくてもインキが均一に転移せず中央が高くなる山盛り状態であると、ドットの大きさに対するインクの分散性が悪く、濃淡階調度も悪くなる。さらに、転移インキ量及びドット面積が同一の場合、丸いドット形状は細長いドット形状に比べてインクの分散性が悪い。他方、細長いドット形状はモアレが生じる虞れがある。
図４は、電子彫刻機（ヘリオクリッショグラフ）のダイヤモンド針の彫り込みにより得られる従来のグラビア印刷版のセルの形状を示すもので、中央部が一番深い角錐孔状の菱形セルであり、セルの深度が浅くセル幅が大きいのでセル内でのインキの表面張力が小さく作用しインクの転移性が良いが、転移したインキが山盛りとなり平滑にならないからドットの大きさに対するインキの分散性が悪く、濃淡階調度も悪くなる。
図５は、エッチング法により得られる従来の一般的なグラビア印刷版のセルの形状を示すもので、丸孔形ないし角円形のセルであり、最シャドウ部のセルをスクリン線の交点付近が欠いて開孔率を大きくしたフリーフローセルとすることができる。しかし、セルの輪郭部の深度が深くセル幅が小さいのでライト部においてはセル内の孔壁面におけるインキの表面張力が大きく作用しインクの転移性が図４のセルよりも劣り、ライト部における白く抜けて見える点がやや多い。
また図示しないが、本願出願人の出願の特願平６−２８９９１号に係るグラビア印刷版は、エッチング法により得られるグラビア印刷版であり、ライト部のセルの形状がドクター接触線に直角な方向に長尺な長孔形セルであり、ドクターでセル内のインキが掻き取られることが少ないので中抜け（セル中央部でのインキの不転移）が起こりにくいものの、セル幅が小さいのでセル内でのインキの表面張力が大きく作用しインキの転移性が劣り、モアレが発生しやすいので特願平６−１２４６２８号や特願平６−１５０３９０号のようなモアレを解消することが必須となる。
さらに図示しないが、本願出願人の出願の特願平７−２１６７１４号に係るグラビア印刷版は図５のセルと同様の丸孔形ないし角円形のセルでライト部からシャドウ部の開孔率となるように分散しており、エッチング管理が良好に行われ完全な分布状態のセルができれば濃淡階調が優れているが、セルが開口されなかったりセルが繋がってしまうなどエッチング管理が難しい上、図５と同様にセル内でのインキの表面張力が大きく作用しインクの転移性が劣る。
他方、凸版や平版においても、ライト部のインクを盛り付けるドットの形状は、図５に略対応した略円形であるのでインキの分散性が劣っていた。
【０００３】
【発明が解決しようとする課題】
本願発明は、エッチング法又はレーザ破壊法により製作される印刷版であって、ライト部ないし中間調部のドットの形状を改善することにより、インキの分散性が良好な印刷物が得られ、さらに、凹版にあっては、セルからの被印刷物へのインキの転移性が良好でありライト部が白く抜けて見えるインキが転移していないポイントを無くした印刷物が得られる印刷版を提供することを目的としている。
【０００４】
【課題を解決するための手段】
本願発明は、画素のインクを盛り付けるドットが凹部、凸部、又は親インキ性を有する平滑部でありエッチング法又はレーザ破壊法により製作される印刷版であって、ライト部のドットに関する、画素を形成するためのインクを盛り付けるドットを、濃淡階調度に対応して漸次に大きくなる概略Ｖ字形状を構成するように、三角形の頂点と底辺がロール周面方向に位置する三角部と、該三角部の底辺の両端より斜辺の延長線上に延長している二本の短直線部とからなることを特徴とする印刷版を提供するものである。
また、本願発明は、最シャドウ部が六角形のドットを敷き詰めた形状であり、最シャドウ部以外のドットが、最シャドウ部のドットを敷き詰めた時の各六角形の略中心に位置するように配列されていることを特徴とする印刷版を提供するものである。
【０００５】
【発明の実施の形態】
図１は、本願発明の印刷版をグラビア印刷版において実施する第一の形態を示す。
このグラビア印刷版は、最シャドウ部（限定するものでないが、例えば８０％の開孔率）が六角形のドット（セル）を敷き詰めた形状である。そして、最シャドウ部以外の大きさのドットが、最シャドウ部のドットを敷き詰めた時の各六角形の中心に位置するように正斜列に配列している。
濃淡階調度が０％超〜１６％以下のライト部のセルは、濃淡階調度に対応して漸次に大きくなる概略Ｖ字形状を構成するように、三角形の頂点と底辺がロール周面方向に位置する三角部と、該三角部の底辺の両端より斜辺の延長線上に延長している二本の短直線部とからなる。三角部は、面積及び幅が大きいので、エッチング特性により、二本の短直線部他の部分よりも深くエッチングされる。
濃淡階調度が２５％のときのセルは概略三角形状であり、図示しない、濃淡階調度が１６％超〜２５％未満のライト部ないし中間調部のセルを設けるときは、１６％のときの概略Ｖ字形状のセルから２５％のときの概略三角形状のセルに漸次に変化する形状にする。
濃淡階調度が３５％のときのセルは概略六角形状であり、図示しない、濃淡階調度が２５％超〜３５％未満の中間調部のセルを設けるときは、２５％のときの概略三角形状のセルから３５％のときの概略六角形状のセルに漸次に変化する形状にする。
濃淡階調度が３５％超〜８０％未満の中間調ないしシャドウ部のセルは、濃淡階調度に対応するようにほぼ相似形を維持して漸次に大きくなる概略六角形状とする。
このグラビア印刷版は、二本の短直線部で深度が浅く、三角部で深度が深くエッチングされる。インキのセルからの離型性は、セルが深ければ大きくなる。これは、インキのセル側面壁への吸着力が増すことに起因するものと思われる。しかして、二本の短直線部でのインキの離型性は良好であり、二本の短直線部は、、深度が浅い部分での表面張力が小さく抑えられるからインキの転移性の良好である。この印刷版がグラビア印刷版でなく、凸版や親インキ性を有する平滑部を有するフレキソ版やオフセット版である場合には、ドットがセルで構成されないから、セルの深浅との関係は生じない。しかし、濃淡階調度が０％超〜１６％のセルが、三角形の頂点と底辺がロール周面方向に位置する三角部と、該三角部の底辺の両端より斜辺の延長線上に延長している二本の短直線部とからなる概略Ｖ字形状であるので、開孔率が同じでもドットの端から端までの距離が図４及び図５のセルに比べておおきくなるからインキの分散性が高くなる硬化がある。
実施例として、１００ミクロン前後にバラード銅メッキしてなる被製版面を鏡面研磨し、表面活性化処理してから、アルゴン・ネオンガスレーザビームー等の弱いレーザビームによって硬化し得る高感度特性を有する一液性の感光性樹脂を塗布・乾固し３ミクロンの厚さの感光性樹脂膜を形成し、次いで、感光性樹脂膜に前記レーザビームをドクター版面接触線と直交する方向に主走査するとともにレーザビームの版面における隣合う被照射線同士がオーバーラップしてずれるように副走査しかつ印刷情報に応じたレーザビームの点滅照射を行うことにより、感光性樹脂膜にネガチブな印刷情報を書き込んだ後、現像を行って感光性樹脂膜の未露光部分を溶解して後、レジストを加熱硬化してからエッチングして被版面にポジチブな印刷情報を点状に彫り込み、レジスト剥離して耐刷力を付けるためクロムメッキしたところ、ライト部の印刷がインキが転移せずに白く見えるポイントを図４に示すセルと同等に無くした印刷物が得られた。また、インキの分散性は図４に示すセルよりも向上した。
図２は、本願発明の印刷版をグラビア印刷版としたときの実施の形態であって、８０％の最シャドウ部のセルを、スクリン線の交差部又はその近傍を断続させてフリーフローセルとしたものである。
（ａ）は、一つドットを画成する六角形のスクリン線で形成された一個のドットを分散して有しかつ該スクリン線が切れていないドットの回りの六個のドットを画成するスクリン線が一部切れている。（ｂ）及び（ｃ）は、全てのドットについて、ドットを形成するスクリン線が一部切れている。（ｂ）は、ドットを形成するスクリン線が「Ｚ〕形に分断し三方向に異なって分散している。（ｃ）は、ドットを形成するスクリン線が「Ｙ〕形に分断している。
フリーフローセルにすると、ドクターでインキを掻いてセル内にインキを充満させるときに、インキの流れによりセル内に気泡を残留するのを防止できるので、インキの転移性が良好である。
【０００６】
図３は、本願発明の印刷版をグラビア印刷版において実施する第二の形態を示す。このグラビア印刷版は、最シャドウ部（限定するものでないが、例えば８０％の開孔率）が四角形のドット（セル）を敷き詰めた形状である。そして、最シャドウ部以外の大きさのドットが、最シャドウ部のドットを敷き詰めた時の各四角形の中心に位置するように正列している。濃淡階調度が０％超〜１６％以下のライト部のセルは、濃淡階調度に対応して漸次に大きくなる概略Ｖ字形状を構成するように、三角形の頂点と底辺がロール周面方向に位置する三角部と、該三角部の底辺の両端より斜辺の延長線上に延長している二本の短直線部とからなる。これは、第一の形態と同一である。濃淡階調度が２５％のときのセルは概略三角形状であり、図示しない、濃淡階調度が１６％超〜２５％未満のライト部ないし中間調部のセルを設けるときは、１６％のときの概略Ｖ字形状のセルから２５％のときの概略三角形状のセルに漸次に変化する形状にする。これは、第一の形態と同一である。濃淡階調度が３５％のときのセルは概略六角形状であり、図示しない、濃淡階調度が２５％超〜３５％未満の中間調部のセルを設けるときは、２５％のときの概略三角形状のセルから３５％のときの概略六角形状のセルに漸次に変化する形状にする。これは、第一の形態と同一である。濃淡階調度が３５％超〜８０％未満の中間調ないしシャドウ部のセルは、濃淡階調度に対応するようにほぼ相似形を維持して漸次に大きくなる概略四角形状とする。
【０００７】
本願発明の印刷版は、グラビア印刷版のみでなく、凸版、及び親インキ性を有する平滑部を有するフレキソ版やオフセット版に適用すると、インキの転移性がよく濃淡階調度を改善できる。また本願発明の印刷版は、ロール印刷版のみでなく平版も含まれる。さらにまた本願発明は、上記実施例に示す製版法、すなわち、レーザ露光・現像によるレジスト画像の形成とその後のエッチングする方法に限定されるものでなく、ロール表面を磁性粉末を含んだエポキシ樹脂等の硬質プラスチック膜で形成してヤグレーザ等の高力レーザで直接にセルを彫り込んでなるグラビア印刷版も含まれる。
【０００８】
【発明の効果】
以上説明してきたように、本願発明の印刷版は、エッチング法又はレーザ破壊法により製作されるグラビア版、凸版、及び親インキ性を有する平滑部を有するフレキソ版やオフセット版であり、ライト部のドットの形状を概略Ｖ字形に形成したので、同ライト部のインキの分散性が良好な印刷物が得られる。
さらに、本願発明の印刷版、エッチング法又はレーザ破壊法により製作される印刷版、特に凹版（グラビア印刷版）によれば、ライト部のドットの形状を改善することによりセルからの被印刷物へのインキの転移性が良好でありライト部が白く抜けて見えるインキが転移していないポイントを無くした印刷物が得られる。すなわち、本願発明にかかるグラビア印刷版によれば、図４に示す電子彫刻機のダイヤモンド針の彫り込みにより得られる従来のグラビア印刷版のライト部のセルの形状と同様に、ドット形状の中央部においてセル深度が深く、四方にセル深度が浅く延びているので、セル内で側壁面におけるインキの表面張力が小さく抑えることができてインクの転移性が良く、加えて、インキが山盛りとならないからインキの分散性が良好であり、ライト部の印刷がインキが転移せずに白く見えるポイントを図４に示すセルと同等に無くした印刷物が得られた。また、インキの分散性は図４及び図５に示すセルよりも向上した。さらに、本願発明の印刷版は、モアレが生じない。
【図面の簡単な説明】
【図１】本願発明の印刷版をグラビア印刷版とした場合における、第一の実施の形態を示す濃淡階調度に対応したドット（セル：白抜きのエリア）の形状を示す図。
【図２】本願発明の印刷版をグラビア印刷版としたときの実施の形態であって、８０％の最シャドウ部のセルを、スクリン線の交差部又はその近傍を断続させてフリーフローセルとしたドット（セル：白抜きのエリア／スクリン線：黒）の形状を示す図。
【図３】本願発明の印刷版をグラビア印刷版とした場合における、第二の実施の形態を示す濃淡階調度に対応したドット（セル：白抜きのエリア）の形状を示す図。
【図４】電子彫刻機のダイヤモンド針の彫り込みにより得られる従来のグラビア印刷版のライト部のセルの形状を示す図。
【図５】エッチング法により得られる従来の一般的なグラビア印刷版のライト部のセルの形状を示す図。
【図１】
0003923656.tif 000002
【図２】
0003923656.tif 000003
【図３】
0003923656.tif 000004
【図４】
0003923656.tif 000005
【図５】
0003923656.tif 000006